(57)【要約】【課題】鏡とレンズを時計体と一体に回転可能に軸着した携帯用装飾時計が無く、化粧道具や老眼鏡あるいは虫めがねなどを必要とするときは時計の他に少なくともレンズと鏡を携帯する必要があり、携帯品が大型になり、ファッション性の観点から大きな問題があった。【解決手段】レンズを保持したレンズ枠と鏡と時計体を開閉自在に軸着して一体化した携帯用装飾時計を実現して課題を解決した。【選択図】　　　図１
2004061475.tif 000002
【特許請求の範囲】
【請求項１】
少なくとも１つのレンズとそのレンズを取り付けた少なくとも１つのレンズ枠と、少なくとも１つの鏡と、時計体とを有し、前記レンズ枠と前記時計体とは相互に開閉自在に軸着されていることを特徴とする携帯用装飾時計。
【請求項２】
請求項１に記載の携帯用装飾時計において、前記携帯用装飾時計は加飾蓋を有しており、前記加飾蓋は前記レンズ枠ならびに前記時計体と相互に開閉自在に軸着されていることを特徴とする携帯用装飾時計。
【請求項３】
請求項１または２に記載の携帯用装飾時計において、少なくとも１つの前記鏡は少なくとも１つの前記レンズに対向させることができるように配置されていることを特徴とする携帯用装飾時計。
【請求項４】
請求項１〜３のいずれか１項に記載の携帯用装飾時計において、前記レンズが凸レンズまたは凸レンズの機能を有するレンズであることを特徴とする携帯用装飾時計。
【請求項５】
請求項１〜４のいずれか１項に記載の携帯用装飾時計において、前記レンズがフレネルレンズであることを特徴とする携帯用装飾時計。
【請求項６】
請求項１〜５のいずれか１項に記載の携帯用装飾時計において、前記レンズが無機ガラスからなることを特徴とする携帯用装飾時計。
【請求項７】
請求項１〜５のいずれか１項に記載の携帯用装飾時計において、前記レンズがアクリルガラス等の合成樹脂からなることを特徴とする携帯用装飾時計。
【請求項８】
請求項１〜５のいずれか１項に記載の携帯用装飾時計において、前記レンズがサファイアガラス等の貴石からなることを特徴とする携帯用装飾時計。
【請求項９】
請求項１〜８のいずれか１項に記載の携帯用装飾時計において、前記鏡が前記時計体に配置されていることを特徴とする携帯用装飾時計。
【請求項１０】
請求項９に記載の携帯用装飾時計において、前記鏡が前記時計体の裏蓋に取り付けられていることを特徴とする携帯用装飾時計。
【請求項１１】
請求項１０に記載の携帯用装飾時計において、前記時計体の裏蓋の前記鏡が配置されている部分がその周囲よりも窪んでいる凹部として形成されていることを特徴とする携帯用装飾時計。
【請求項１２】
請求項１１に記載の携帯用装飾時計において、前記裏蓋の前記凹部でない部分が、前記時計体の裏蓋の着脱時に裏蓋開閉治具が前記鏡に触れることなく機能するように、形成されていることを特徴とする携帯用装飾時計。
【請求項１３】
請求項１１に記載の携帯用装飾時計において、前記裏蓋の前記凹部でない部分に、前記裏蓋の着脱時に必要なビスを用いるスペースを擁していることを特徴とする携帯用装飾時計。
【請求項１４】
請求項９〜１２に記載の携帯用装飾時計において、前記鏡の主要部分がサファイアガラス等の貴石で形成されていることを特徴とする携帯用装飾時計。
【請求項１５】
請求項１０に記載の携帯用装飾時計において、前記鏡が前記時計体の裏蓋と一体形成されていることを特徴とする携帯用装飾時計。
【請求項１６】
請求項１〜１５のいずれか１項に記載の携帯用装飾時計において、前記携帯用装飾時計は前記鏡を少なくとも２個有することを特徴とする携帯用装飾時計。
【請求項１７】
請求項１〜１６のいずれか１項に記載の携帯用装飾時計において、前記携帯用装飾時計は前記レンズを少なくとも２個有することを特徴とする携帯用装飾時計。
【請求項１８】
請求項１〜１６のいずれか１項に記載の携帯用装飾時計において、少なくとも１つの前記鏡と少なくとも１つの前記レンズを引き出したときに、前記引き出した鏡と前記引き出したレンズとを重ねて使用することができるように前記鏡と前記レンズが取り付けられていることを特徴とする携帯用装飾時計。
【発明の詳細な説明】
【０００１】
【発明の属する技術分野】
本発明は、レンズと鏡を有する携帯用装飾時計に関するもので、さらに具体的には、ペンダントウォッチ、懐中時計、携帯電話に取り付けたりハンドバッグなどの小型携帯具に入れて持ち歩いたりすることができる小型時計、および机上等に置いてミニクロック的活用が可能な小型時計等に適用される携帯用装飾時計に関する。
【０００２】
【従来の技術】
ペンダントウォッチや懐中時計等に適用される携帯用装飾時計は、時刻を知りたいときに時計の表示部を見るためのみならずファッションとして携行されるため、多くの場合、薄くて小型で軽量であることが要求される。そして、装飾性が重視される場合には、時計体が小さくなり、その時刻表示部の時刻表示が小さくて時刻を読みにくい場合が多い。
【０００３】
図４〜図６は従来のペンダントウォッチを説明する図で、図４はその鳥瞰図、図５はその文字盤側から見た正面図、図６はその裏蓋側から見た正面図である。
【０００４】
図４〜図６で、符号１００は時計体、１０１は文字版、１０２は裏蓋、１０３はケース胴体、１０４はリューズ、１０５はリングである。
【０００５】
ウオッチのユーザは図４の時計体１００をリング１０５を介して、たとえば、１８金やプラチナ等の貴金属製の鎖（図示せず）で首に下げて、装飾品兼時計として携行する。
【０００６】
ペンダントウオッチは装飾的要素が強いため、時計体１００の文字板１０１を小さくし，ケース胴体１０３に装飾を施す場合が多い。そして、文字板１０１や裏蓋１０２にも装飾を施す場合がある。また、図示しないが、文字板１０１の上に、加飾蓋を配置して、時計としてのイメージを出さずに、完全な装飾品としてのイメージを強める場合も多い。
【０００７】
これら各種のバリエーションが採用可能であるが、ペンダントとしての機能から、小型、薄型で軽量であることが強く要求されている。
【０００８】
時計体を小さくした場合、中高年や視力のあまり高くないユーザの場合には、小さい時刻表示の時刻を読みとるのに老眼鏡や虫めがねなどを用いないと正確に時刻を読みとれない場合も多い。
【０００９】
また、日常生活において、鏡やレンズを携帯して使用したいというニーズも多い。たとえば、目立たずに化粧を直したり、顔の一部を見たり、あるいは、顔の一部を拡大してみたり、視力の高くない人が小さい文字を読むなどの時には、鏡やレンズが便利である。
【００１０】
このため、時計と鏡と老眼鏡や虫めがねなどをスマートに携帯したいという希望が多い。
【００１１】
このような要望を考慮して、レンズと鏡を開閉自在に軸着した携帯用装飾品が本発明者によって提案されている。
【００１２】
しかしながら、前記の携帯用装飾品が提案されているにもかかわらず、レンズと鏡を開閉自在に軸着したペンダントウオッチや懐中時計を製造しようという発想が全く無く、このような時計は現在市販されていない。
【００１３】
【発明が解決しようとする課題】
上記のように、ファッション性のあるペンダントや懐中時計と鏡と老眼鏡や虫めがねなどを携帯すれば便利な場合が多いが、これらを全て携行することは、時計と凸レンズ付き鏡の少なくとも２つの固体を携行しなければならず、それだけ携行品が大きくなり、ファッション性を重視したり携行品の数をできるだけ少なくしたいときにはいずれかの携行を断念せざるを得ないことが多いという課題がある。
【００１４】
さらに、このような従来の状況では、時計、凸レンズ付き鏡の入手価格が高いという問題もある。
【００１５】
一方、特に中高年者や視力の高くないユーザにおいては、このような小さい時刻表示や文字を老眼鏡や虫めがねなどを使用しなければ読めないということを他人に知られたくないというユーザも多い。
【００１６】
本発明はこのような点に鑑みてなされたもので、本発明の目的は、レンズと鏡と時計体を一体にした携帯用装飾時計、たとえば、ペンダントウォッチ、懐中時計、ハンドバッグなどの小型鞄に入れて持ち歩いたりすることができる小型時計、および机上等に置いてミニクロック的活用が可能な小型時計等の小型で軽量で薄型化が可能な携帯用装飾時計を安価に提供するところにある。
【００１７】
【課題を解決するための手段】
本発明の目的を達成するため、本発明の携帯用装飾時計は、少なくとも１つのレンズとそのレンズを取り付けた少なくとも１つのレンズ枠と、少なくとも１つの鏡と、時計体とを有し、前記レンズ枠と前記時計体とを相互に開閉自在に軸着したところに大きな特徴を有している。
【００１８】
本発明の携帯用装飾時計の例は、加飾蓋を有しており、前記加飾蓋は前記レンズ枠ならびに前記時計体と相互に開閉自在に軸着されていることを特徴としている。
【００１９】
本発明の携帯用装飾時計の例は、少なくとも１つの前記鏡は少なくとも１つの前記レンズに対向させることができるように（すなわち、重ね合わせることができるように）配置されていることを特徴としている。
【００２０】
本発明の携帯用装飾時計の例は、前記レンズが凸レンズまたは凸レンズの機能を有するレンズであることを特徴としている。
【００２１】
本発明の携帯用装飾時計の例は、前記レンズがフレネルレンズであることを特徴としている。
【００２２】
本発明の携帯用装飾時計の例は、前記レンズが無機ガラスからなることを特徴としている。
【００２３】
本発明の携帯用装飾時計の例は、前記レンズがアクリルガラス等の合成樹脂からなることを特徴としている。
【００２４】
本発明の携帯用装飾時計の例は、前記レンズがサファイアガラス等の貴石からなることを特徴としている。
【００２５】
本発明の携帯用装飾時計の例は、前記鏡が前記時計体に配置されていることを特徴としている。
【００２６】
本発明の携帯用装飾時計の例は、前記鏡が前記時計体の裏蓋に取り付けられていることを特徴としている。
【００２７】
本発明の携帯用装飾時計の例は、前記時計体の裏蓋の前記鏡が配置されている部分がその周囲よりも窪んでいる凹部として形成されていることを特徴としている。
【００２８】
本発明の携帯用装飾時計の例は、前記裏蓋の前記凹部でない部分が、前記時計体の裏蓋の着脱時に裏蓋開閉治具が前記鏡に触れることなく機能するように、形成されていることを特徴としている。
【００２９】
本発明の携帯用装飾時計の例は、前記裏蓋の前記凹部でない部分に、前記裏蓋の着脱時に必要なビスを用いるスペースを擁していることを特徴としている。
【００３０】
本発明の携帯用装飾時計の例は、前記鏡の主要部分が、たとえばサファイアガラス等の貴石の裏に反射体を形成するなどして形成されていることを特徴としている。
【００３１】
本発明の携帯用装飾時計の例は、前記鏡が前記時計体の裏蓋と一体形成されていることを特徴としている。
【００３２】
本発明の携帯用装飾時計の例は、前記携帯用装飾時計は前記鏡を少なくとも２個有することを特徴としている。
【００３３】
本発明の携帯用装飾時計の例は、前記携帯用装飾時計は前記レンズを少なくとも２個有することを特徴としている。
【００３４】
本発明の携帯用装飾時計の例は、少なくとも１つの前記鏡と少なくとも１つの前記レンズを引き出したときに、前記引き出した鏡と前記引き出したレンズとを重ねて使用することができるように前記鏡と前記レンズが取り付けられていることを特徴としている。
【００３５】
そして、本発明の携帯用装飾時計は、前記の如き各特徴を適宜組み合わせて有するものをも含むものである。
【００３６】
【発明の実施の形態】
以下、図面を参照してこの出願の各発明について説明する。なお、説明に用いる各図はこれらの各発明を理解できる程度に各構成成分の寸法、形状、配置関係などを概略的に示してある。また、各図において、同様な構成成分については同一の番号を付して示し、重複する説明を省略することもある。
【００３７】
図１〜図３は、本発明の実施の形態としての携帯用装飾時計例を説明する図で、携帯用装飾時計の例としてペンダントウオッチを用いて説明する図である。図１と図２は本発明の携帯用装飾時計を構成する時計体とレンズ枠と加飾蓋とをそれぞれ見開き状態に開いたときの正面図、図３は携帯用装飾時計を構成する時計体とレンズ枠と加飾蓋とをそれぞれ閉じた状態での断面図である。
【００３８】
図１〜図３で、符号１は携帯用装飾時計、２は時計体、３はレンズ枠、４は加飾蓋、５は時計体２とレンズ枠３と加飾蓋４とを軸着している軸着部、２１は時計体２の文字板、２２は長針、２３は短針、２４ａと２４ｂは側とも呼ばれるケース胴体、２５は裏蓋、２６は電池、２７は回路ブロック、３１はレンズ、３２はレンズ３１を保持しているレンズ枠３の枠部、４１ａは加飾蓋の加飾部、４１ｂは加飾蓋の裏部、４０は裏部４１ｂに取り付けられている鏡、５１ａは加飾蓋４の結合部、５１ｂはレンズ枠３の結合部、５１ｃは時計体２の結合部、５２ａと５２ｂは前記各結合部５１ａ〜５１ｃを軸着するネジを有するピン、５３はリング、５４はリング５３を挿入保持する穴５５を有するリング連結板である。結合部５１ａ〜５１ｃを総称して結合部５１とも称し、ピン５２ａとピン５２ｂを総称してピン５２とも称する。
【００３９】
図１と図２は、説明の便利のため、時計体２とレンズ枠３と加飾蓋４とを、ピン５２のまわりに回転させて見開き状態に開いた状態の正面図で、図１は加飾蓋側から見た正面図、図２は時計体２の裏蓋側から見た正面図である。
【００４０】
図１で、時計体２とレンズ３１を擁するレンズ枠３はピン５２を回転中心に約９０度開いた状態にあり、レンズ枠３と加飾蓋４もピン５２を回転中心に約９０度開いた状態にある。これを裏側から見たのが図２である。
【００４１】
図３は、図２の状態から、時計体２をピン５２を回転中心にして９０度時計回りに回転させ、加飾蓋４をピン５２を回転中心にして９０度反時計回りに回転させそれぞれレンズ枠３に重ねて配置した状態の、図２のＸ−Ｙ線に沿った断面図である。
【００４２】
なお、図１と図２は時計体２とレンズ枠３と加飾蓋４とをピン５２のまわりに回転させて引き出した状態の図であるが、実際には、時計体２とレンズ枠３と加飾蓋４とは互いに独立に任意にピン５２のまわりに回転させて引き出して使用することができるようになっており、用途によってこれらのうちの１つまたは２つを引き出して使用する場合が多い。
【００４３】
すなわち、時計体２とレンズ枠３と加飾蓋４とは、それらの結合部５１をピン５２に通してピン５２のまわりに回転可能に固定すなわち軸着されており、必要に応じて携帯用装飾時計１から、たとえば、時計体２をピン５２のまわりに回転させて文字板２１が見えるように開いたり、あるいは、レンズ枠３を同様に開いて小さな文字等を見るのに用いたり、あるいは、レンズ枠３と加飾蓋４を開いて重ねて、加飾蓋４の裏にある鏡４０とレンズを拡大鏡として用いてまつげなどを見るのに用いたり、あるいは、時計体２とレンズ枠３を開いて重ねて、レンズ３１を虫めがねとして用いて文字板２１の数字等を拡大して見やすくしたりすることができる。
【００４４】
図３で、符号５６ａと５６ｂはパッキンである。加飾蓋４とレンズ枠３、レンズ枠３と時計体２の結合部（軸着部）に、たとえば、図３に例を示したようなパッキン５６ａ、５６ｂをそれぞれ設けることにより、加飾蓋、レンズ枠、時計体をスムーズに回転させることができるほか、任意の角度に開いた状態にすることができるなど、加飾蓋、レンズ枠、時計体の開閉角度をコントロールすることができる。また、符号２８はカバーガラスである。
【００４５】
携帯用装飾時計１は、ペンダントウオッチとして、たとえば、リング５３に装飾性のある鎖など（図示せず）を通してつり下げ、首にかけるなどして使用されている。多くの場合、装飾的要素が重要視され、時計体はできるだけ小さく、薄く、軽くつくられることが好ましい。ペンダントウオッチ以外の携帯用装飾時計においても小さく、薄く、軽くつくることは重要な要素である。
【００４６】
この観点からも、多くの場合、時計体２、レンズ３１を含めたレンズ枠３，鏡４０を含めた加飾蓋４はできるだけ薄く軽くつくられ、さらに引き出しやすくつくられる。特に、高級品の場合には、これらの観点からの要求が強い。
【００４７】
レンズにつて述べれば、製造コストを安くすることと使用中につく傷を少なくすることを考えて、レンズを無機カラスで形成するが、さらに安く軽くなるようにつくるために、レンズの材質をたとえばアクリルガラス等の合成樹脂でつくったり、レンズを平板状のフレネルレンズにすることができる。
【００４８】
また、高級品においては特に重要視されることであるが、傷が付きにくいことと貴重品のイメージを持たせることが要求される場合がある。たとえばレンズに関しては、レンズをサファイアガラス等の貴石で形成して、高級化の観点からの要求を満たすことができる。
【００４９】
さらに、本発明は、上記の実施の形態に限定されるものではなく、多くのバリエーションが可能である。
【００５０】
たとえば、加飾蓋を用いずに、時計体とレンズ枠の一方または双方に装飾を施し、時計体の裏蓋に鏡を配置し、前記裏蓋にレンズを対向させて配置したものをつくることができる。また、加飾蓋として、漆、七宝、螺鈿、鼈甲等を伝統工芸技術を用いて加飾したものを用いたり、時計全体を軽くするため透かし彫りを使って加飾したり、時計体のケース等をチタン合金で形成したり、加飾蓋その他の部品を電鋳技術を用いて製作したり種々の改善を施すことができる。
【００５１】
また、レンズの配置につては、図１〜図３の配置のように、加飾蓋と時計体の間にレンズを配置する方法、鏡を時計体の裏蓋に設けて鏡に対向させてレンズを配置する方法、レンズをたとえば時計体の文字板側と裏蓋側に備えるなどレンズを２枚以上設ける方法など種々のバリエーションがある。
【００５２】
レンズは少なくとも１つを凸レンズにすることで、虫眼鏡の役割をもたせることができる。
【００５３】
また、少なくとも１つのレンズを凹レンズにすることにより、レンズの用途を広くできる。
【００５４】
鏡は、平面鏡や凹面鏡を用いて、レンズと適宜組み合わせることによって、時計の種々の使い方を提案することができる。
【００５５】
図３の例は加飾蓋４に鏡４０を装着している例なので、時計体の裏蓋開閉時に鏡の破損等を心配しなくて済むが、表面から順次加飾蓋、時計体、レンズ枠という順の配列にした場合には、裏蓋に鏡を装着させて、レンズを鏡に重ねて用いて拡大鏡として用いることができるとともに、裏蓋開閉時における鏡の破損に特に注意を払わなくてはならない。
【００５６】
つまり、裏蓋外周部がネジ式であったり、胴と裏蓋を４隅で直接ビスで止める構造の時を除いて、すなわち、ダボ喰付等スナップ喰付の場合、鏡の配置には裏蓋開閉治具が鏡の存在によらず機能するように鏡を配置する必要がある。その１つの方法として、裏蓋に鏡をはめ込むことができる凹部を形成し、その凹部に鏡を配置することができる。
【００５７】
時計体の裏蓋や文字板などの一部を鏡にすることにより、一層の小型化を図ったり、商品価値を生み出すこともできる。
【００５８】
レンズの使い方は、たとえば、レンズだけを引き出して老眼鏡や虫めがねとして使用することができ、また、レンズと鏡を引き出して重ねて配置し、顔の一部を見るのに使用することができるなど種々の使い方が可能である。
【００５９】
以上、電池を使用する時計を用いた本発明の実施の形態についてその例を説明したが、本発明はこれに限定されるものではなく、電池を用いない携帯用装飾時計においても適用されるものであることは前記のような本発明の特徴から明らかなことである。
【００６０】
【発明の効果】
以上の説明から明らかなように、本発明は、時計とレンズと鏡を備えた新規な携帯用装飾時計を実現し、従来の携帯用装飾時計のファッション性を損なうことなく、従来の携帯用装飾時計の用途に加えて、女性の化粧道具や中高年者の老眼鏡や青少年の虫めがねとして一寸拡大してみたいものを見るなど、あらゆる層のユーザにとって新しい使い方の可能な、従来の携帯用装飾時計では考えられなかった機能を有する、薄くて小型・軽量な携帯用装飾時計を量産に適した形態で提供することができ、また、レンズが表面に露出して太陽光による点火のおそれがないように構成するため、災害予防の見地からも配慮されており、さらに、レンズが直接見えにくいように装着され、ファッション性を高めることができるなど、数多くの効果を有するものである。
【図面の簡単な説明】
【図１】本発明の実施の形態例としての携帯用装飾時計を説明する正面図である。
【図２】本発明の実施の形態例としての携帯用装飾時計を説明する正面図である。
【図３】本発明の実施の形態例としての携帯用装飾時計を説明する断面図である。
【図４】従来の携帯用装飾時計の鳥瞰図である。
【図５】従来の携帯用装飾時計の正面図である。
【図６】従来の携帯用装飾時計の正面図である。
【符号の説明】
１：携帯用装飾時計
２、１００：時計体
３：レンズ枠
４：加飾蓋
５：軸着部
２１、１０１：文字板
２２：長針
２３：短針
２４ａ、２４ｂ、１０３：ケース胴体
２５、１０２：裏蓋
２６：電池
２７：回路ブロック
３１：レンズ
３２：枠部
４１ａ：加飾蓋の加飾部
４１ｂ：加飾蓋の裏部
４０：鏡
５１、５１ａ、５１ｂ、５１ｃ：結合部
５２、５２ａ、５２ｂ：ピン
５３、１０５：リング
５４：リング連結板
５５：穴
５６ａ、５６ｂ：パッキン
【図１】
2004061475.tif 000003
【図２】
2004061475.tif 000004
【図３】
2004061475.tif 000005
【図４】
2004061475.tif 000006
【図５】
2004061475.tif 000007
【図６】
2004061475.tif 000008